(57)【特許請求の範囲】
【請求項１】
本体と、前記本体における地盤穿孔手段とを備えるグラウンドアンカであって、ここにおいて、前記地盤穿孔手段が、第１の先細部材と前記第１の先細部材に対して横断して延在している複数の第２の先細部材を備え、前記第１の先細部材と前記複数の第２の先細部材の各々は前記本体から互いに先細となっている対向する縁を有し、そして地盤穿孔手段はさらに各先細部材に隣接する領域において本体に設けられる複数の歯を含んでいる、グラウンドアンカ。
【請求項２】
本体と、前記本体における地盤穿孔手段とを備えるグラウンドアンカであって、ここにおいて、前記地盤穿孔手段が、第１の先細部材と前記第１の先細部材に対して横断して延在している複数の第２の先細部材を備え、前記第１の先細部材と前記第２の先細部材の各々は前記本体から互いに先細となっている対向する縁を有し、そして地盤穿孔手段はさらに各先細部材に隣接する領域において先細部材とは異なる本体の前面に設けられる複数の歯を含んでいる、グラウンドアンカ。
【請求項３】
本体と、前記本体における地盤穿孔手段とを備えるグラウンドアンカであって、ここにおいて、前記地盤穿孔手段が、第１の先細部材と前記第１の先細部材に対して横断して延在している複数の第２の先細部材を備え、前記第１の先細部材と前記第２の先細部材の各々は前記本体から互いに先細となっている対向する縁を有し、そして地盤穿孔手段はさらに各先細部材に隣接する領域において本体に設けられる複数の歯を含み、
前記第１の先細部材と前記第２の先細部材は一対の対向するくぼみをそれらの間に規定し、前記第２の先細部材は対向する先細の壁でくぼみを構成し、前記くぼみの各々に前記歯の一つをそれぞれ備えている、グラウンドアンカ。
【請求項４】
前記第１の先細部材は、２つの対向する縁を有し、前記第１の先細部材の対向する縁の各々は、前記第１の先細部材の前記対向する縁に向かって前記本体から先細となっている、請求項１から３のいずれか一項に記載のグラウンドアンカ。
【請求項５】
前記第１の先細部材は、前記対向する縁の間で延在する２つの対向する面を有し、前記対向する面が互いに実質的に平行である、請求項４に記載のグラウンドアンカ。
【請求項６】
前記対向する面の各々が、実質的に平面であり、実質的に三角形である、請求項５に記載のグラウンドアンカ。
【請求項７】
前記第２の先細部材は前記第１の先細部材の前記面の各々から横断して延在している、請求項５または６に記載のグラウンドアンカ。
【請求項８】
前記第２の先細部材の各々は、二つの対向する縁を有し、各第２の先細部材の前記対向する縁は、関連する第２の先細部材の前記対向する縁に向かって前記本体から先細となっている、請求項１から７のいずれか一項に記載のグラウンドアンカ。
【請求項９】
前記第１の先細部材と前記第２の先細部材は一対の対向するくぼみをそれらの間に規定し、前記第２の先細部材は対向する先細の壁でくぼみを構成し、前記くぼみの各々に前記歯の一つをそれぞれ備えている、請求項１、２、請求項３を引用する場合を除く４から８のいずれか一項に記載のグラウンドアンカ。
【請求項１０】
前記グラウンドアンカは、前記グラウンドアンカを地盤へと押し込むための押し込み手段と協働するための押し込み形成部を含む、請求項１ないし９の何れか一項に記載のグラウンドアンカ。
【請求項１１】
前記押し込み形成部は、細長い穴であり、前記細長い穴は、前記本体の後端にある開口から前記本体内へと実質的に軸方向に延在する、請求項１０に記載のグラウンドアンカ。
【請求項１２】
前記押し込み形成部は、細長いメクラ穴からなる、請求項１１に記載のグラウンドアンカ。
【請求項１３】
地盤安定化構成部を自身に固定するための固定形成部を含み、前記固定形成部が、前記本体の開口部を備え、前記開口部が、前記開口部を貫く開口を定める、請求項１から１２のいずれか一項に記載のグラウンドアンカ。
【請求項１４】
前記本体が主軸を有し、前記先細部材または各々の先細部材が、少なくとも一方が前記主軸に対して鋭角で延在する第１の縁と第２の縁とを備える、請求項１から１３の何れか一項に記載のグラウンドアンカ。
【請求項１５】
前記先細部材または各々の先細部材の前記第１の縁と前記第２の縁との両方が、前記主軸に対して鋭角で延在する、請求項１４に記載のグラウンドアンカ。
【請求項１６】
前記歯が鋸歯からなる、請求項１から１５のいずれか一項に記載のグラウンドアンカ。
【請求項１７】
前記本体が前端と後端とを有し、前記地盤穿孔手段が前記本体の前記前端に設けられ、前記本体の前記前端が実質的にＶ字形の形成部を有し、前記実質的にＶ字形の形成部が第１の前面と第２の前面とを含み、前記前面の各々が前記第１の先細部材のそれぞれの対向する側に延在する、請求項１から１６のいずれか一項に記載のグラウンドアンカ。
【請求項１８】
前記歯が前記第１および第２の前面に設けられる、請求項１７に記載のグラウンドアンカ。
【請求項１９】
前記第１および第２の前面が、前記第１の先細部材に対して横断して延在する、請求項１８に記載のグラウンドアンカ。
【請求項２０】
前記第１および第２の前面が、前記第１の先細部材に対して実質的に直角に延在し、前記歯が前記第１の先細部材に対して実質的に直角に延在する、請求項１８または１９に記載のグラウンドアンカ。
【請求項２１】
前記第１および第２の前面が、前記第１の先細部材から後方へと先細になり、前記歯が前記第１の先細部材から後方へと先細になる、請求項１８または１９に記載のグラウンドアンカ。
【発明の詳細な説明】
【技術分野】
【０００１】
本発明はグラウンドアンカに関する。より詳細には、しかし排他的ではなく、本発明は、地盤に押し込まれ、地盤の所望位置へと押し込まれるとき、負荷担持位置へと引っ張られ得るグラウンドアンカに関する。
【背景技術】
【０００２】
グラウンドアンカは、建物構造などを固定および安定化するために用いられる。グラウンドアンカの例は、ＧＢ２２８３５１１およびＧＢ２２８３５１２に開示されている。これらの過去の文献の各々で開示されているグラウンドアンカは、グラウンドアンカを地盤へと押し込むために用いられる押し込みロッドを受けることができる。グラウンドアンカは、地盤表面を安定化するために用いられるマットを通じて、地盤へと押し込まれる。必要な度合いの注意が払われない場合、グラウンドアンカがマットを通じて押し込まれるとき、マットが破れる可能性がある。
【先行技術文献】
【特許文献】
【０００３】
【特許文献１】ＧＢ２２８３５１１
【特許文献２】ＧＢ２２８３５１２
【発明の概要】
【０００４】
本発明の一態様によれば、本体と、前記本体において地盤穿孔手段とを備え、地盤穿孔手段が実質的に平坦な先細部材を備える、グラウンドアンカが提供される。
【０００５】
先細部材は、互いに向かって先細になる対向する縁を有し得る。
【０００６】
本発明の別の態様によれば、本体と、本体において地盤穿孔手段とを備え、地盤穿孔手段が、互いに向かって先細になる対向する縁を有する先細部材を備える、グラウンドアンカが提供される。
【０００７】
先細部材は、対向する縁の間で延在する対向する面を有し得る。対向する面は互いと実質的に平行であり得る。対向する面の各々は実質的に平坦であり得る。対向する面の各々は実質的に三角形であり得る。
【０００８】
グラウンドアンカは、グラウンドアンカを地盤へと押し込むための押し込み手段と協働するための押し込み形成部を含み得る。押し込み手段は、細長い押し込み品を備えてもよく、軸材と、衝撃受け形成部とを備えてもよい。
【０００９】
押し込み形成部は、細長い穴であってもよく、その細長い孔はメクラ穴であってもよい。細長い穴は、本体の後端にある開口から本体内へと実質的に軸方向に延在し得る。
【００１０】
グラウンドアンカは、地盤安定化構成部を自身に固定するための固定形成部をさらに含み得る。固定形成部は本体の開口部であり得る。開口部は、開口部を貫く開口を定め得る。
【００１１】
安定化構成部は、ワイヤロープケーブルなどの連結品と、連結品に取り付けられる安定化品とを備え得る。連結品は、本体の開口部によって定められる固定開口を貫いて延在し得る。
【００１２】
地盤穿孔手段は、複数の先細部材を備え得る。先細部材のうちの少なくとも１つは、先細部材のうちの別のものに対して横断して延在し得る。
【００１３】
地盤穿孔手段は、第１の先細部材と、第１の先細部材に対して横断して延在する複数の第２の先細部材とを備え得る。第１の先細部材は、主要な先細部材であり得る。
【００１４】
先細部材の各々は、互いに向かって先細になる対向する縁を有し得る。先細部材の各々は、対向する縁の間で延在する対向する面を有し得る。対向する面は互いと実質的に平行であり得る。対向する面の各々は実質的に平坦であり得る。対向する面の各々は実質的に三角形であり得る。
【００１５】
本体は主要な軸を有してもよく、先細部材または各々の先細部材は、少なくとも一方が主要な軸に対して鋭角で延在し得る第１の縁と第２の縁とを備え得る。望ましくは、先細部材または各々の先細部材の第１の縁と第２の縁との両方は、主要な軸に対して鋭角で延在し得る。第１の縁および第２の縁は、主要な軸に対して実質的に同じ鋭角で延在し得る。
【００１６】
地盤穿孔手段は、先細部材または各々の先細部材に隣接する領域において、前記本体に設けられる歯をさらに含んでもよい。歯は鋸歯を備え得る。
【００１７】
本体は前端と後端とを有してもよく、地盤穿孔手段は本体の前端に設けられる。本体の前端は実質的にＶ字形の前形成部を有してもよく、その実質的にＶ字形の前形成部は第１の前面と第２の前面とを含み得る。前記前面の各々は第１の先細部材のそれぞれの対向する側で延在し得る。歯は前記第１の前面および第２の前面に設けられ得る。
【００１８】
第１の前面および第２の前面は、第１の先細部材に対して横断して延在し得る。第１の実施形態では、第１の前面および第２の前面は、第１の先細部材に対して実質的に直角に延在し得る。第１の実施形態では、歯は、第１の先細部材に対して実質的に直角に延在し得る。第２の実施形態では、第１の前面および第２の前面は、第１の先細部材から後方へと先細になる。第２の実施形態では、歯は、第１の先細部材から後方へと先細になり得る。
【００１９】
ここで、本発明の実施形態が、添付の図面を参照しつつ、例だけを用いて説明される。
【図面の簡単な説明】
【００２０】
【図１】地盤へと押し込まれるグラウンドアンカの第１の実施形態の側面図。
【図２】図１に示したグラウンドアンカを地盤へと押し込むときに使用するための押し込み構成部の図。
【図３】グラウンドアンカの第２の実施形態の側面図。
【図４】図３に示したグラウンドアンカの平面図。
【図５】図４の線Ｖ−Ｖに沿っての断面図。
【図６】図３から図５に示したグラウンドアンカの斜視図。
【図７】図６のＶＩＩで印の付けられた領域の拡大図。
【図８】グラウンドアンカの第３の実施形態の斜視図。
【図９】図８に示したグラウンドアンカの側面図。
【発明を実施するための形態】
【００２１】
細長い押し込みロッド２２の形態の押し込み手段を用いて地盤１００へと押し込まれるグラウンドアンカ１０の第１の実施形態が、図１および図２に示されている。押し込みロッド２２は、図２においてよりはっきりと示されている。グラウンドアンカ１０の第２の実施形態が、図３から図７に示されている。グラウンドアンカ１０の第３の実施形態が、図８および図９に示されている。
【００２２】
図１および図２に示されているグラウンドアンカ１０の第１の実施形態は、前端１４と後端１６とを有する本体１２を備えている。羽根部１７が、本体１２の下方領域から外向きに延在している。羽根部１７は、グラウンドアンカ１０が地盤１００へと押し込まれるにつれて、グラウンドアンカ１０への安定性を提供する。
【００２３】
メクラ端１９（図５参照）を有する細長い穴１８の形態の押し込み形成部が、本体１２の後端１６において、後部開口２０から、本体１２に定められている。
【００２４】
細長い押し込みロッド２２が、地盤１００へのグラウンドアンカ１０の押し込みの目的のために、貫通穴１８へと挿入される。押し込みロッド２２は、穴１８に受け入れられ、後で説明されるように、押し込みロッド２２にグラウンドアンカ１０を地盤１００へと押し込ませることができるように、メクラ端１９と係合する。
【００２５】
本体１２は、開口２６を定める開口部２４の形態の固定形成部を有している。ケーブル、ワイヤ、またはロープなど、可撓性の細長い部材２８が、図１に示されているように、本体１２へと取り付けられるように、開口２６を通じて受け入れられ得る。可撓性の細長い部材２８および開口部２４の目的は、グラウンドアンカ１０が所望の深さへと地盤１００に押し込まれるとき、グラウンドアンカ１０を負荷担持位置へと移動することである。
【００２６】
押し込みロッド２２が取り外された後、可撓性の細長い部材２８で引っ張ることで、グラウンドアンカ１０は、図１において破線で示された符号１０Ａで指示されている負荷担持位置へと、矢印Ａによって示された方向に回転される。可撓性の細長い部材２８は、グラウンドアンカ１０によって安定化される構造物からの負荷を担持するために、負荷担持部材としても作用する。
【００２７】
図２を参照すると、押し込みロッド２２は、衝撃受け部材３４が設けられた近位端３３と、遠位端面３５とを有する細長い円筒形の軸部３０を備えている。
【００２８】
遠位端面３５は、軸３０が穴１８に受け入れられるとき、メクラ端１９と係合する。
【００２９】
グラウンドアンカ１０を地盤１００へと押し込むために、ハンマ３６が衝撃受け部材３４を打つために使用できる。ハンマ３６から押し込みロッド２２へと与えられる力は、軸部３０とメクラ端１９との間の係合を介して、グラウンドアンカ１０へと伝達される。
【００３０】
グラウンドアンカ１０が地盤１００において所望の深さへと押し込まれたとき、押し込みロッド２２は取り外され、負荷担持部材２８は引っ張られて、グラウンドアンカ１０を図１において破線で示された位置へと回転する。
【００３１】
図３から図７を参照すると、グラウンドアンカ１０の第２の実施形態が示されている。第２の実施形態は第１の実施形態と概して同じであり、各々の実施形態の対応する特徴は、同じ参照符号で示されている。
【００３２】
グラウンドアンカ１０は、本体１２の前端において地盤穿孔手段４０を備えている。本体は長手方向の主要な軸Ｘ−Ｘを有している（図５参照）。地盤穿孔手段４０は、第１の先細部材４２と、２つの第２の先細部材４４、４６とを備えている。第２の先細部材４４、４６は、第１の先細部材４２に対して横断して延在している。図３から図７で示された実施形態では、１番目および２番目の第２の先細部材４４、４６は、第１の先細部材４２に対して直角に延在している。第１の先細部材４２は、第２の先細部材４４、４６の前方に延在している前方突起４２Ａを備えている。
【００３３】
第１の先細部材４２は、対向する先細主縁４８と、対向する実質的に平行な平面の主面５０とをも有する。主縁４８は、本体１２から互いに向かって内向きに先細となっている。主縁４８は前方突起４２Ａへと延在している。主面５０は主縁４８同士の間で延在し、主面５０の各々は概して三角の形である。
【００３４】
第２の先細部材４４、４６の各々は、対向する先細副縁５４と、対向する実質的に平行な平面の副面５６とを有する。副縁５４は、本体１２から互いに向かって内向きに先細となっている。副縁５４は主縁４８と合流している。副面５６は縁５４同士の間で延在している。副面５６の各々は概して三角の形である。
【００３５】
ここに記載されている実施形態では、主要および第２の先細部材４２、４４、４６は、地盤１００の表面に配置されたマットを通じて押し込まれるとき、先細部材４２、４４、４６は、マットの撚り糸に分け入り、マットを破ることを回避するという利点を提供する。
【００３６】
本体１２の前端１４は、頂部６１と、第１の先細部材４２のそれぞれの対向する側に配置された第１および第２の前面６２、６４とを有する凸状の実質的にＶ字形の形成部６０を有する。地盤穿孔手段４０は、本体１２に複数の歯５８を含んでいる。歯５８は、主要および第２の先細部材４２、４４、４６に隣接する第１および第２の前面６２、６４に設けられている。歯５８は、第１および第２の前面６２、６４から前方に突出する鋸歯の形態となっている。
【００３７】
歯５８は、第１の先細部材４２に対して横断して延在している。図３から図７に示した第２の実施形態では、歯５８は、第１の先細部材４２に対して実質的に直角に延在している。
【００３８】
グラウンドアンカ１０の第３の実施形態は、図８および図９で示されており、図３から図７に示されている第２の実施形態の特徴の多くを備えている。図８および図９に示されている、図３から図７における対応する特徴と同じ特徴は、図３から図７における同じ参照符号で示されている。
【００３９】
第３の実施形態は、前方突起４２Ａが省略されている点において、第２の実施形態と異なっている。したがって、第１の先細部材４２は平坦な前端を有し、それによって、グラウンドアンカ１０が地盤１００へと押し込まれるにつれて、グラウンドアンカ１０の安定性を増加させる。
【００４０】
さらなる違いは、第１および第２の前面６２、６４は、第１の先細部材４２に対して直角ではないが、第１の先細部材４２から後方へと先細になっている点である。これは、グラウンドアンカ１０を地盤１００へと押し込むのを容易にする。
【００４１】
ここで記載されている実施形態では、歯５８は、グラウンドアンカ１０が地盤１００へと押し込まれるとき、グラウンドアンカ１０の進行経路にある石を砕くことで地盤１００への穿通を支援するという利点を提供する。
【００４２】
したがって、マットを破ったり損傷したりすることなく、地盤１００の表面にあるマットを貫いて押し込まれ得ると共に、歯５８の結果として、石の多い地盤１００を貫いて容易に押し込まれ得るグラウンドアンカ１０が、記載されている。
【００４３】
様々な変形が、本発明の範囲から逸脱することなく行われ得る。例えば、実質的に平坦
な先細部材の数は変更されてもよく、また、歯の数は変更されてもよい。
ここに、出願当初の特許請求の範囲の記載事項を付記する。
［１］  本体と、前記本体における地盤穿孔手段とを備えるグラウンドアンカであって、ここにおいて、前記地盤穿孔手段が、互いに向かって先細になる対向する縁を有する先細部材を備える、グラウンドアンカ。
［２］  前記先細部材が、前記対向する縁の間で延在する２つの対向する面を有し、前記対向する面が互いと実質的に平行である、［１］に記載のグラウンドアンカ。
［３］  前記対向する面の各々が、実質的に平面であり、実質的に三角形である、［２］に記載のグラウンドアンカ。
［４］  前記グラウンドアンカが、前記グラウンドアンカを地盤へと押し込むための押し込み手段と協働するための押し込み形成部を含む、［１］、［２］または［３］の何れか一項に記載のグラウンドアンカ。
［５］  前記押し込み形成部が細長い穴であり、前記細長い穴が、前記本体の後端にある開口から前記本体内へと実質的に軸方向に延在する、［４］に記載のグラウンドアンカ。
［６］  前記押し込み形成部が細長いメクラ穴を備える、［５］に記載のグラウンドアンカ。
［７］  地盤安定化構成部を自身に固定するための固定形成部を含み、前記固定形成部が、前記本体の開口部を備え、前記開口部が、前記開口部を貫く開口を定める、［１］から［６］のいずれか一項に記載のグラウンドアンカ。
［８］  前記地盤穿孔手段が複数の先細部材を備え、前記先細部材のうちの少なくとも１つが、前記先細部材のうちの別のものに対して横断して延在する、［１］から［７］のいずれか一項に記載のグラウンドアンカ。
［９］  前記地盤穿孔手段が、第１の先細部材と、前記第１の先細部材に対して横断して延在する複数の第２の先細部材とを備える、［８］に記載のグラウンドアンカ。
［１０］  前記先細部材の各々が、互いに向かって先細になる対向する縁を有し、前記先細部材の各々が、前記対向する縁の間で延在する対向する面を有し、前記対向する面が互いと実質的に平行である、［９］に記載のグラウンドアンカ。
［１１］  前記対向する面の各々が、実質的に平面であり、実質的に三角形である、［１０］に記載のグラウンドアンカ。
［１２］  前記本体が主要な軸を有し、前記先細部材または各々の先細部材が、少なくとも一方が前記主要な軸に対して鋭角で延在する第１の縁と第２の縁とを備える、［９］、［１０］または［１１］の何れか一項に記載のグラウンドアンカ。
［１３］  前記先細部材または各々の先細部材の前記第１の縁と前記第２の縁との両方が、前記主要な軸に対して鋭角で延在する、［１２］に記載のグラウンドアンカ。
［１４］  前記地盤穿孔手段が、前記先細部材または各々の先細部材に隣接する領域において、前記本体に設けられる歯をさらに含む、［９］から［１３］のいずれか一項に記載のグラウンドアンカ。
［１５］  前記歯が鋸歯を備える、［１４］に記載のグラウンドアンカ。
［１６］  前記本体が前端と後端とを有し、前記地盤穿孔手段が前記本体の前記前端に設けられ、
前記本体の前記前端が実質的にＶ字形の形成部を有し、前記実質的にＶ字形の形成部が第１の前面と第２の前面とを含み、前記前面の各々が前記第１の先細部材のそれぞれの対向する側で延在する、［９］から［１５］のいずれか一項に記載のグラウンドアンカ。
［１７］  ［１４］または［１５］に従属するとき、前記歯が前記第１の前面および前記第２の前面に設けられる、［１６］に記載のグラウンドアンカ。
［１８］  前記第１の前面および前記第２の前面が、前記第１の先細部材に対して横断して延在する、［１７］に記載のグラウンドアンカ。
［１９］  前記第１の前面および前記第２の前面が、前記第１の先細部材に対して実質的に直角に延在し、前記歯が前記第１の先細部材に対して実質的に直角に延在する、［１７］または［１８］に記載のグラウンドアンカ。
［２０］  前記第１の前面および前記第２の前面が、前記第１の先細部材から後方へと先細になり、前記歯が前記第１の先細部材から後方へと先細になる、［１７］または［１８］に記載のグラウンドアンカ。
［２１］  添付の図面の図３から図７を参照しつつ本特許請求の範囲に実質的に記載されるようなグラウンドアンカ。
［２２］  添付の図面の図８と図９とを参照しつつ本特許請求の範囲に実質的に記載されるようなグラウンドアンカ。
【図１】
0006441314.tif 000002
【図２】
0006441314.tif 000003
【図３】
0006441314.tif 000004
【図４】
0006441314.tif 000005
【図５】
0006441314.tif 000006
【図６】
0006441314.tif 000007
【図７】
0006441314.tif 000008
【図８】
0006441314.tif 000009
【図９】
0006441314.tif 000010